(57)【特許請求の範囲】
【請求項１】
両極の端子の突出する面を前面とした複数個の単電池を、これらの前面を揃えて縦方向及び／又は横方向に並べてユニットケース内に収納固定した１個又は複数個のユニット電池を、これらの前面を揃えて縦方向及び／又は横方向に並べて相互に固定し、更にこれらのユニット電池の前面に側面に開口部を設けた扉取付用枠を固定して取り付けると共に、
前記扉取付用枠の前面に扉を開閉可能に取り付け、更に、前記１個又は複数個のユニット電池の前面から側面直角方向に前記扉取付用枠の側面に設けた開口部より内部に通じる外部端子用枠を固定して取り付け、該外部端子用枠に扉を開閉可能に取り付けたことを特徴とする蓄電池収納箱。
【請求項２】
前記扉取付用枠の内側のユニット電池のシール型鉛蓄電池の端子に結線を行った該配線を扉取付用枠の側面上下に設けた開口部を通して該扉取付用枠の側面に固定して取り付けた外部端子用枠内に引き出すと共に、該外部端子用枠の扉を外して外部機器の接続用端子盤に接続し、前記扉取付用枠に扉を取り付けてなることを特徴とする請求項１に記載の蓄電池収納箱。
【請求項３】
前面に扉取付用枠を固定して取り付けた前記１個又は複数個のユニット電池の上面に外部端子用枠を固定して取り付けると共に、
前記扉取付用枠の前面に扉を開閉可能に取り付け、更に、前記１個又は複数個のユニット電池の前面から上面直角方向に前記扉取付用枠の上面に設けた開口部より内部に通じる外部端子用枠を固定して取り付け、該外部端子用枠に扉を開閉可能に取り付けたことを特徴とする請求項１に記載の蓄電池収納箱。
【発明の詳細な説明】
【０００１】
【発明の属する技術分野】
本発明は、ユニット電池を例えば非常用電源として長期間設置するための蓄電池収納箱に関する。
【０００２】
【従来の技術】
図５に示すようなユニット電池２を施設等に設置して常時商用電源で浮動充電しておくことにより、停電等の非常用電源として使用することがある。ユニット電池２は、図６に示すようなユニットケース２ａ内に図７に示すような複数個（図では６個）のシール型鉛蓄電池１を収納固定したものである。シール型鉛蓄電池１は、電槽１ａに蓋１ｂをして電池エレメントと電解液が収容された内部を密閉したものであり、この蓋１ｂから両極の端子１ｃが突出するようになっている。また、これらのシール型鉛蓄電池１は、端子１ｃが突出した蓋１ｂを前方に向けて、これらの前面が揃うように横に並べてユニットケース２ａ内に収納固定される。ユニットケース２ａは、前面を除く５面が平板で覆われた枠付きの金属製の筐体であり、複数個のシール型鉛蓄電池１を収納した後に前面の一部に電池押え板２ｂを取り付けることにより、これらのシール型鉛蓄電池１をユニット電池２内に固定することができる。
【０００３】
上記ユニット電池２を非常用電源として使用する場合、従来は、このユニット電池２をそのまま設置するか、キュービクルに収納していた。
【０００４】
【発明が解決しようとする課題】
ところが、このユニット電池２をキュービクルに（方形の小部屋を多数設けて）収納する場合には、設置する各ユニット電池２の左右や上方にある程度の隙間が設けられていないと、設置作業が非常に面倒なものになる。
【０００５】
このため、従来は、ユニット電池２を収納するキュービクルのサイズが大型になり、広い設置スペースが必要になるという問題があった。
【０００６】
本発明は、かかる事情に対処するためになされたものであり、ユニット電池２等を積み重ねて、これに直接扉取付用枠と扉を取り付けることにより、設置スペースに無駄の生じない蓄電池収納箱を提供することを目的としている。
【０００７】
【課題を解決するための手段】
請求項１の蓄電池収納箱は、両極の端子の突出する面を前面とした複数個の単電池を、これらの前面を揃えて縦方向及び／又は横方向に並べてユニットケース内に収納固定した１個又は複数個のユニット電池を、これらの前面を揃えて縦方向及び／又は横方向に並べて相互に固定し、更にこれらのユニット電池の前面に側面に開口部を設けた扉取付用枠を固定して取り付けると共に、
前記扉取付用枠の前面に扉を開閉可能に取り付け、更に、前記１個又は複数個のユニット電池の前面から側面直角方向に前記扉取付用枠の側面に設けた開口部より内部に通じる外部端子用枠を固定して取り付け、該外部端子用枠に扉を開閉可能に取り付けたことを特徴とす。
【０００８】
請求項１の発明によれば、１個又は複数個のユニット電池を横並びにしたり積み上げた前面に扉取付用枠と扉を直接取り付けるので、ユニット電池を設置する際の隙間が不要となり、全ユニット電池のサイズに加えてその前方にわずかな空間を設けるだけで設置が可能となり、設置スペースの無駄をなくすことができる。ユニット電池は、ユニットケースの枠等に取り付け孔等を設けることができるので、ユニット電池同士の固定や扉取付用枠の取り付けは容易である。なお、ユニット電池の前面と扉との間は、扉取付用枠によって空間が設けられるので、ここで端子への結線を行うことができる。
【０００９】
請求項２の蓄電池収納箱は、前記扉取付用枠の内側のユニット電池のシール型鉛蓄電池の端子に結線を行った該配線を扉取付用枠の側面上下に設けた開口部を通して該扉取付用枠の側面に固定して取り付けた外部端子用枠内に引き出すと共に、該外部端子用枠の扉を外して外部機器の接続用端子盤に接続し、前記扉取付用枠に扉を取り付けてなることを特徴とする。
【００１０】
請求項２の発明によれば、ユニット電池等の側面に外部端子用枠と扉が取り付けられるので、前面で各端子に接続した配線をこの外部端子用枠の空間に引き出し、外部機器との接続用の扉付きの端子盤とすることができる。
【００１１】
請求項３の蓄電池収納箱は、前面に扉取付用枠を固定して取り付けた前記１個又は複数個のユニット電池の上面に外部端子用枠を固定して取り付けると共に、  前記扉取付用枠の前面に扉を開閉可能に取り付け、更に、前記１個又は複数個のユニット電池の前面から上面直角方向に前記扉取付用枠の上面に設けた開口部より内部に通じる外部端子用枠を固定して取り付け、該外部端子用枠に扉を開閉可能に取り付けたことを特徴とする。
【００１２】
請求項３の発明によれば、ユニット電池等の上面に外部端子用枠と扉が取り付けられるので、前面で各端子に接続した配線をこの外部端子用枠の空間に引き出し、外部機器との接続用の扉付きの端子盤とすることができる。
【００１３】
【発明の実施の形態】
以下、本発明の実施形態について図面を参照して説明する。
【００１４】
図１〜図４は本発明の一実施形態を示すものであって、図１は蓄電池収納箱の斜視図、図２はチャンネルベース上にユニット電池を載置したときの斜視図、図３はユニット電池に扉取付用枠を取り付けたときの斜視図、図４はユニット電池に外部端子用枠を取り付けたときの斜視図である。なお、図５〜図７に示した従来例と同様の機能を有する構成部材には同じ番号を付記する。
【００１５】
本実施形態では、図５に示した従来例と同様に、６個のシール型鉛蓄電池１を収納固定したユニット電池２を使用する非常用電源の蓄電池収納箱について説明する。このユニット電池２は、図２に示すように、床面に固定されたチャンネルベース３上に、縦方向に４個積み上げて載置される。この際、各ユニット電池２は、収納したシール型鉛蓄電池１の端子１ｃが突出する前面を揃えて積み上げられる。各ユニット電池２間は、ボルト／ナット等を用いてユニットケース２ａの両側部の枠を相互に固定することにより一体化している。また、最下段のユニット電池２は、床面に固定されたチャンネルベース３にボルト／ナット等を用いて固定されているので、積み上げたユニット電池２が物の衝突や地震等によって崩れ落ちるようなおそれがなくなる。
【００１６】
上記ユニット電池２の前面には、図３に示すように、扉取付用枠４が取り付けられる。扉取付用枠４は、積み上げた４個のユニット電池２の前面の上下部と両側部に沿う金属製の枠体であり、この枠体の内側は、各ユニット電池２に収納されたシール型鉛蓄電池１の前面が開放されている。なお、この扉取付用枠４は、枠体の内側にも適宜桟等を設けてもよい。この扉取付用枠４は、全部又は一部のユニット電池２のユニットケース２ａの枠にボルト／ナット等により固定することにより取り付けられる。また、この扉取付用枠４は、一方の側面の上下に開口部４ａが形成されている。
【００１７】
上記ユニット電池２の側面には、図４に示すように、外部端子用枠５が取り付けられる。外部端子用枠５は、積み上げた４個のユニット電池２の側面の上下部と両側部に沿いかつ前記扉取付用枠４の片側端面に接合させた金属製の枠体である。なお、この外部端子用枠５の内側も、扉取付用枠４と同様に開放されているので、この扉取付用枠４に設けた開口部４ａに通じることになる。この外部端子用枠５は、該外部端子用枠５の内側の中央部に横方向の桟５ａが設けられているが、この桟５ａは必ずしもなくてもよい。この外部端子用枠５は、全部又は一部のユニット電池２のユニットケース２ａの枠にボルト／ナット等により固定することにより取り付けられる。
【００１８】
上記扉取付用枠４の開放された前面には、図１に示すように、扉６が取り付けられる。また、外部端子用枠５の開放された側面にも、扉７が取り付けられる。扉６，７は、いずれも金属板からなり、扉取付用枠４の前面や外部端子用枠５の側面をそれぞれ上下に分けて２枚で塞ぐように取り付けられている。これらの扉６，７は、それぞれ両側に取っ手６ａ，７ａが設けられ、四隅をビスで扉取付用枠４や外部端子用枠５に固定することにより取り付けられる。従って、取っ手６ａ，７ａを手で持ちビスを外せば容易に外して開くことができる。
【００１９】
上記構成の蓄電池収納箱は、扉６，７を取り付ける前に、扉取付用枠４の内側のユニット電池２の前面でシール型鉛蓄電池１の端子１ｃに結線を行い、この配線を扉取付用枠４の上下の開口部４ａを通して外部端子用枠５内に引き出し、ここで外部機器との接続用の図示しない端子盤に接続する。そして、扉取付用枠４に扉６を取り付けると共に、外部端子用枠５に扉７を取り付けて設置が完了する。また、外部端子用枠５の扉７を取り外すだけで、外部機器との接続が可能とり、保守時には、扉取付用枠４の扉６を取り外せば、各シール型鉛蓄電池１の端子１ｃの接続状態を調べることができる。
【００２０】
以上説明したように、本実施形態の蓄電池収納箱によれば、各ユニット電池２がチャンネルベース３上に隙間なく積み上げられるので、扉取付用枠４が結線スペースのために前方に少し出っ張り、外部端子用枠５が端子盤のスペースのために側方に少し出っ張るだけで、設置スペースの無駄がなくなる。
【００２１】
なお、上記実施の形態では、シール型鉛蓄電池１を用いる場合について説明したが、他の種類の蓄電池を用いる場合にも、同様に本発明を実施することができる。
【００２２】
また、上記実施の形態では、６個のシール型鉛蓄電池１を横に並べて収納固定したユニット電池２について説明したが、２個以上であればシール型鉛蓄電池１の個数は限定されず、しかも、縦に積み重ねてもよく、このように縦に積み重ねたものを複数組横に並べて収納してもよい。この際、ユニットケース２ａは、前面を除く５面が平板で覆われた枠付きの金属製の筐体であれば、上記実施形態の構造には限定されない。
【００２３】
さらに、上記実施の形態では、ユニット電池２を縦に積み上げる場合について説明したが、横に並べて設置してもよく、横に並べたものを複数段積み上げて設置してもよい。また、上記実施形態では、複数個のユニット電池２を用いる場合について説明したが、１個のユニット電池２に扉取付用枠４と扉６等を取り付けるようにしてもよい。
【００２４】
さらに、上記実施の形態では、側面に外部端子用枠５を取り付ける場合について説明したが、積み上げたユニット電池２等の上面に取り付けることもできる。この場合、扉７は、外部端子用枠５の上側面に取り付ける。また、このような外部端子用枠５を取り付けずに、外部機器からの配線を直接扉取付用枠４の内部に引き入れて結線したり、この扉取付用枠４の内部に端子盤を設けるようにしてもよい。
【００２５】
さらに、上記実施の形態では、扉６，７は、取り外しによって開閉可能となっていたが、蝶番等を介して扉取付用枠４や外部端子用枠５に取り付けることにより、片開きや観音開きにすることもできる。
【００２６】
さらに、上記実施の形態では、ユニット電池２をチャンネルベース３上に載置固定したが、安定した床面や他の土台上に載置し適宜固定するのであれば、必ずしもチャンネルベース３を用いなくてもよい。
【００２７】
【発明の効果】
以上の説明から明らかなように、本発明の蓄電池収納箱によれば、複数個の単電池をユニット電池に収納固定して、このユニット電池を横並びにしたり積み上げた前面に扉取付用枠と扉を直接取り付けるので、単電池やユニット電池を単にキュービクルに設置する場合に比べ、設置スペースの無駄をなくすことができるようになる。
【図面の簡単な説明】
【図１】  本発明の一実施形態を示すものであって、蓄電池収納箱の全体斜視図である。
【図２】  本発明の一実施形態を示すものであって、チャンネルベース上にユニット電池を載置したときの斜視図である。
【図３】  本発明の一実施形態を示すものであって、ユニット電池に扉取付用枠を取り付けたときの斜視図である。
【図４】  本発明の一実施形態を示すものであって、ユニット電池に外部端子用枠を取り付けたときの斜視図である。
【図５】  ユニット電池の全体斜視図である。
【図６】  ユニットケースの斜視図である。
【図７】  シール型鉛蓄電池を６個並べた斜視図である。
【符号の説明】
１    シール型鉛蓄電池
１ｃ  端子
２    ユニット電池
２ａ ユニットケース
４    扉取付用枠
４ａ 開口部
５    外部端子用枠
６    扉
７    扉
【図１】
0003900400.tif 000002
【図２】
0003900400.tif 000003
【図３】
0003900400.tif 000004
【図４】
0003900400.tif 000005
【図５】
0003900400.tif 000006
【図６】
0003900400.tif 000007
【図７】
0003900400.tif 000008